(57)【特許請求の範囲】
【請求項１】
一対のコネクタと、前記各コネクタを収容し保持するフードとを有し、
前記各コネクタは、インシュレータと、前記インシュレータに保持されるコンタクトとから構成され、
前記フードは、前記各コネクタに対して嵌合離脱する他の各コネクタが挿入排出するためのガイド溝を有し、
前記各コネクタのコンタクトの端子部同士は、直接又は間接に接続され、
前記フードは、前記各端子部同士が対向する状態で、前記各端子部を保持固定する手段を有することを特徴とする中継コネクタ。
【請求項２】
前記端子部同士を間接に接続する手段が半田であり、かつ、前記各端子部を保持固定する前記フードが有する手段が段部であることを特徴とする請求項１記載の中継コネクタ。
【請求項３】
前記端子部同士を間接に接続する手段がプリント基板及び半田であり、かつ、前記各端子部を保持固定する前記フードが有する手段が前記プリント基板であることを特徴とする請求項１記載の中継コネクタ。
【請求項４】
前記各コネクタのインシュレータの間に一対の結合用部材をかけ渡すように固定することを特徴とする請求項３記載の中継コネクタ。
【請求項５】
前記端子部同士を直接に接続する手段が結合用コンタクトであり、かつ、前記各端子部を保持固定する前記フードが有する手段が貫通孔及び前記結合用コンタクトであり、前記結合用コンタクトは弾力性を有するフォーク部と圧入部とから構成され、前記フォーク部が前記端子部同士を圧接し、前記圧入部が前記貫通孔に圧入されることを特徴とする請求項１記載の中継コネクタ。
【請求項６】
前記フードに板ばね部が一体に形成され、前記他の各コネクタに突起が形成され、前記板ばね部が前記突起に係合することにより、前記他の各コネクタが前記中継コネクタから離脱することが防止されることを特徴とする請求項１記載の中継コネクタ。
【発明の詳細な説明】
【０００１】
【発明の属する技術分野】
本発明は、一方のケーブルコネクタ等と他方のケーブルコネクタ等とを接続するために使用する中継コネクタに関する。
【０００２】
【従来の技術】
２つのケーブルコネクタを接続する従来の第１の中継コネクタについて図８を参照して説明する。
【０００３】
一方のケーブルコネクタ３１を他方のケーブルコネクタ３２に、２つのヘッダーコネクタ３３，３４とプリント基板３５を使用して接続する。各ヘッダーコネクタ３３，３４には、２つの端子３３Ａ，３４Ａが設けられ、プリント基板３５には、回路パターン３５Ａが設けられる。ヘッダーコネクタ３３の各端子３３Ａとヘッダーコネクタ３４の各端子３４Ａは、それぞれ回路パターン３５Ａに接続される。ケーブルコネクタ３１をヘッダーコネクタ３３に矢印方向に嵌合し、ケーブルコネクタ３２も同様にヘッダーコネクタ３４に嵌合する。このような方法により、ケーブルコネクタ３１とケーブルコネクタ３２とを中継接続する。
【０００４】
従来の第２の中継コネクタとしては、実用新案登録第２５５６７８９号公報に記載されたコネクタ用ハウジングについて図９を参照して説明する。
【０００５】
中継コネクタは、プリント基板４１と、プリント基板４１の両側に重畳される弾性板４２，４３と、各弾性板４２，４３と外側に重畳される蓋体４４，４５と、プリント基板４１に接続される一方側のコネクタ４６及び他方側のコネクタ４７，４８とから構成される。一方側のケーブルコネクタ（図示せず）は、コネクタ４６に接続され、他方側の２つのケーブルコネクタ（図示せず）は、それぞれコネクタ４７，４８に接続される。
【０００６】
コネクタ４６は、蓋体４４に形成される開口４４Ａと弾性体４２に形成される開口４２Ａから挿入されてプリント基板４１に接続される。コネクタ４７，４８は、蓋体４５に形成される開口４５Ａと弾性体４３に形成される開口４３Ａから挿入されてプリント基板４１に接続される。プリント基板４１、弾性板４２，４３及び蓋体４４，４５は、４本のねじ４９により一体に固定される。
【０００７】
【発明が解決しようとする課題】
前述した２つの従来の中継コネクタは、構造が複雑で、部品点数が多く、また、コストが高価である。
【０００８】
そこで、本発明は、前述した２つの従来の中継コネクタの欠点を改良し、構造が簡単で、部品点数が少なく、しかも、コストが安価な中継コネクタを提供しようとするものである。
【０００９】
【課題を解決するための手段】
本発明は、前記課題を解決するため、次の手段を採用する。
【００１０】
１．一対のコネクタと、前記各コネクタを収容し保持するフードとを有し、前記各コネクタは、インシュレータと、前記インシュレータに保持されるコンタクトとから構成され、前記フードは、前記各コネクタに対して嵌合離脱する他の各コネクタが挿入排出するためのガイド溝を有し、前記各コネクタのコンタクトの端子部同士は、直接又は間接に接続され、前記フードは、前記各端子部同士が対向する状態で、前記各端子部を保持固定する手段を有する中継コネクタ。
【００１１】
２．前記端子部同士を間接に接続する手段が半田であり、かつ、前記各端子部を保持固定する前記フードが有する手段が段部である前記１記載の中継コネクタ。
【００１２】
３．前記端子部同士を間接に接続する手段がプリント基板及び半田であり、かつ、前記各端子部を保持固定する前記フードが有する手段が前記プリント基板である前記１記載の中継コネクタ。
【００１３】
４．前記各コネクタのインシュレータの間に一対の結合用部材をかけ渡すように固定する前記３記載の中継コネクタ。
【００１４】
５．前記端子部同士を直接に接続する手段が結合用コンタクトであり、かつ、前記各端子部を保持固定する前記フードが有する手段が貫通孔及び前記結合用コンタクトであり、前記結合用コンタクトは弾力性を有するフォーク部と圧入部とから構成され、前記フォーク部が前記端子部同士を圧接し、前記圧入部が前記貫通孔に圧入される前記１記載の中継コネクタ。
【００１５】
６．前記フードに板ばね部が一体に形成され、前記他の各コネクタに突起が形成され、前記板ばね部が前記突起に係合することにより、前記他の各コネクタが前記中継コネクタから離脱することが防止される前記１記載の中継コネクタ。
【００１６】
【発明の実施の形態】
本発明の５つの実施の形態例の中継コネクタについて説明する。
【００１７】
まず、本発明の第１実施の形態例について図１〜図３を参照して説明する。図１は、中継コネクタ１に一方のケーブルコネクタ１１が嵌合する前の状態を示す斜視図である。
【００１８】
図２（ａ）〜（ｃ）は、中継コネクタ１の三面図である。中継コネクタ１は、２枚合せのフード２と、フード２の中央部の両側に設置される各ヘッダーコネクタ３とから構成される。フード２は、中央部２Ａと、上部２Ｂと、下部２Ｃとから略横Ｈ字形状に構成される。フード２の上部２Ｂ及び下部２Ｃの前面及び背面の右側には、各ケーブルコネクタ１１をロックするために、切り込みにより板ばね部２Ｄが形成される。また、２枚合せのフード２の上面及び下面の左側及び右側には、略コ字形状の板ばね２Ｅと突起２Ｆとが対向して形成され、各板ばね２Ｅと各突起２Ｆとが係合することにより、２枚合せのフード２は相互に固定される。更に、フード２の上部２Ｂ及び下部２Ｃの各内側に、ケーブルコネクタ１１を挿入排出するためにガイド溝２Ｇ，２Ｈが形成され、また、ケーブルコネクタ１１が上下表裏逆向きに挿入されることを防止するために、逆挿入防止キー（突起）２Ｉが形成される。
【００１９】
各ヘッダーコネクタ３は、図３に示されるように、フード２の中央部２Ａに対向して表面実装される。各ヘッダーコネクタ３は、インシュレータ３Ａと、インシュレータ３Ａに保持される複数対のばね状のコンタクト３Ｂとから構成される。各コンタクト３Ｂは、ガルウィング状に形成される。対向する一対のヘッダーコネクタ３の各コンタクト３Ｂの端子部３Ｃの間に、半田ボール４を付着させてリフローし、各コンタクト３Ｂを接続する。この際、各コンタクト３Ｂの端子部３Ｃは、表裏両側のフード２の中央部２Ａの内側に形成された各突出段部２Ｊにより支持される。
【００２０】
なお、各コンタクト３Ｂの端子部３Ｃ同士の接続は、半田ボール４の代りに、糸半田、リボン半田又はクリーム半田でも行うことができる。また、リフロー方法としては、リフロー炉、パルスヒート、光ビーム及び半田ごてを挙げることができる。
【００２１】
両ケーブルコネクタ１１の接続過程を説明すると、図１の状態において、一方のケーブルコネクタ１１を中継コネクタ１の右側に矢印方向に挿入すると、同ケーブルコネクタ１１は右側のヘッダーコネクタ３と嵌合し、各板ばね部２Ｄの先端がケーブルコネクタ１１の上部及び下部に形成された各突起１１Ｂに係合する。したがって、ケーブルコネクタ１１は、矢印方向と逆方向に無用には離脱しない。なお、ケーブルコネクタ１１のインシュレータ１１Ａには、ケーブル１１Ｃが取り付けられる。
【００２２】
続いて、他方のケーブルコネクタ１１を中継コネクタ１の左側に挿入すると、同ケーブルコネクタ１１は左側のヘッダーコネクタ３と嵌合する。この結果、一方のケーブルコネクタ１１は、中継コネクタ１における右側のヘッダーコネクタ３、半田ボール４及び左側のヘッダーコネクタ３を経て、他方のケーブルコネクタ１１と接続する。
【００２３】
次に、本発明の第２実施の形態例について図４を参照して説明する。ただし、第２実施の形態例以下の説明は、第１実施の形態例と相違する点のみについて行い、同様の点については省略する。
【００２４】
第２実施の形態例では、第１実施の形態例における半田ボール４に代えてプリント基板５を採用する。プリント基板５の両面には、それぞれ複数対のランド５Ａが設けられ、両面の各ランド５Ａはプリント基板５に開けられたスルーホール５Ｂを通して電気的に接続されている。左右両側のヘッダーコネクタ３の各コンタクト３Ｂの端子部３Ｃは、各ランド５Ａに半田付けされる。プリント基板５は、フード２に保持固定される。
【００２５】
更に、本発明の第３実施の形態例について図５を参照して説明する。
【００２６】
第３実施の形態例では、第１実施の形態例における半田ボール４に代えて結合用コンタクト６を採用する。結合用コンタクト６は、弾力性を有するフォーク部６Ａと、圧入部６Ｂとから略Ｕ字形状に構成される。表裏両側のフード２の中央部２Ａの内側には、突出部２Ｋが形成され、フード２の両外面から各突出部２Ｋまでにわたって貫通孔２Ｌが開けられる。左右両側のヘッダーコネクタ３の各コンタクト３Ｂの端子部３Ｃが突き合わされた状態で、各結合用コンタクト６を各貫通孔２Ｌに圧入すると、各コンタクト３Ｂの端子部３Ｃは各フォーク部６Ａにより圧接されて接続する。
【００２７】
更に、本発明の第４実施の形態例について図６を参照して説明する。
【００２８】
第４実施の形態例では、第２実施の形態例（図４）における左右両側のヘッダーコネクタ３の相対的位置関係を安定して保持するために、結合用部材７を採用する。結合用部材７は、平板から構成される。左右両側のヘッダーコネクタ３の間に一対の結合用部材７をプリント基板５の長さ方向の両側において、かけ渡すように固定する。固定は、各ヘッダーコネクタ３のインシュレータ３Ａに形成された各圧入部３Ｄに各結合用部材７の左右両側を圧入することにより行われる。
【００２９】
更に、本発明の第５実施の形態例について図７を参照して説明する。
【００３０】
第５実施の形態例では、第１実施の形態例（図２）におけるフード２の各板ばね部２Ｄが改造される。すなわち、フード２の上部２Ｂ及び下部２Ｃの前面及び背面の右端から内方に向かって、各ケーブルコネクタ１１をロックするために、板ばね部２Ｍが片持はり状に形成される。各ケーブルコネクタ１１が各ヘッダーコネクタ３に嵌合すると、各板ばね部２Ｍの先端２Ｎは各ケーブルコネクタ１１の各突起１１Ｂに係合する。
【００３１】
【発明の効果】
以上の説明から明らかなように、本発明によれば、次の効果が奏される。
【００３２】
１．中継コネクタは、フードと、フードに収容保持される一対のコネクタと、一対のコネクタを接続する手段とから構成されるので、構造が簡単である。
【００３３】
２．部品点数が少なく、また、組立と分解を簡便に行うことができる。
【００３４】
３．部品点数が少なく、更に、構造が簡単であるため、コストが安価である。
【図面の簡単な説明】
【図１】本発明の第１実施の形態例の中継コネクタとケーブルコネクタの嵌合前の斜視図である。
【図２】同中継コネクタの三面図であり、（ａ）は正面図、（ｂ）は底面図、（ｃ）は側面図を、それぞれ示す。
【図３】同中継コネクタの要部の断面図である。
【図４】本発明の第２実施の形態例の中継コネクタの要部の断面図である。
【図５】本発明の第３実施の形態例の中継コネクタの要部の断面図である。
【図６】本発明の第４実施の形態例の中継コネクタにおける２つのヘッダーコネクタが結合用部材により結合された状態の平面図である。
【図７】本発明の第５実施の形態例の中継コネクタと２つのケーブルコネクタとが嵌合した状態の断面図である。
【図８】従来の第１の中継コネクタの平面図である。
【図９】従来の第２の中継コネクタの諸図であり、（ａ）は斜視図、（ｂ）は背面図、（ｃ）は平面図、（ｄ）は断面図、（ｅ）は正面図を、それぞれ示す。
【符号の説明】
１    中継コネクタ
２    フード
２Ａ    中央部
２Ｂ    上部
２Ｃ    下部
２Ｄ    板ばね部
２Ｅ    板ばね
２Ｆ    突起
２Ｇ    ガイド溝
２Ｈ    ガイド溝
２Ｉ    逆挿入防止キー（突起）
２Ｊ    突出段部
２Ｋ    突出部
２Ｌ    貫通孔
２Ｍ    板ばね部
２Ｎ    先端
３    ヘッダーコネクタ
３Ａ    インシュレータ
３Ｂ    コンタクト
３Ｃ    端子部
３Ｄ    圧入部
４    半田ボール
５    プリント基板
５Ａ    ランド
５Ｂ    スルーホール
６    結合用コンタクト
６Ａ    フォーク部
６Ｂ    圧入部
７    結合用部材
１１    ケーブルコネクタ
１１Ａ    シンシュレータ
１１Ｂ    突起
１１Ｃ    ケーブル
【図１】
0003559968.tif 000002
【図２】
0003559968.tif 000003
【図３】
0003559968.tif 000004
【図４】
0003559968.tif 000005
【図５】
0003559968.tif 000006
【図６】
0003559968.tif 000007
【図７】
0003559968.tif 000008
【図８】
0003559968.tif 000009
【図９】
0003559968.tif 000010